(57)【要約】【課題】下地材や、ねじ、ボルト等の締結部材を必要とせず、家屋の上壁と下壁との間の空間内で配管部材を高さ自在に容易に固定することができる配管固定構造を提供する。【解決手段】配管固定具は、家屋の上壁と下壁との間の空間内で配管部材を固定するための配管固定具であって、配管部材を抱え込んだ状態で配管部材に保持される抱え込み部と、家屋の前記上壁に対向する抱え込み部の上面に高さ調整可能に取り付けられる上側突っ張り部と、家屋の下壁に対向する抱え込み部の下面に高さ調整可能に取り付けられる下側突っ張り部と、を備える。【選択図】図１
2014190420.tif 000002
【特許請求の範囲】
【請求項１】
家屋の上壁と下壁との間の空間内で配管部材を固定するための配管固定具であって、
前記配管部材を抱え込んだ状態で前記配管部材に保持される抱え込み部と、
前記家屋の前記上壁に対向する前記抱え込み部の上面に高さ調整可能に取り付けられる上側突っ張り部と、
前記家屋の前記下壁に対向する前記抱え込み部の下面に高さ調整可能に取り付けられる下側突っ張り部と、
を備える、配管固定具。
【請求項２】
前記抱え込み部は、上下方向に分割可能に接続された上半抱え込み部と、下半抱え込み部と、を備え、前記上側突っ張り部は、前記上半抱え込み部に連結され、前記下側突っ張り部は、前記下半抱え込み部に連結されている、請求項１に記載の配管固定具。
【請求項３】
前記上半抱え込み部は、前記配管部材の一方側の側方方向に延びる一方側側方突出部を有し、前記下半抱え込み部は、前記配管部材の他方側の逆の側方方向に延びる他方側側方突出部を有し、前記一方側側方突出部は、前記上側突っ張り部に形成された雄ねじを上方から受け入れて係合される雌ねじを形成された受入れ穴を有し、前記他方側側方突出部は、前記下側突っ張り部に形成された雄ねじを下方から受け入れて係合される雌ねじを形成された受入れ穴を有する、請求項２に記載の配管固定具。
【請求項４】
前記抱え込み部は、スナップ嵌合によって前記配管部材に嵌り込むように形成されている、請求項１に記載の配管固定具。
【請求項５】
前記抱え込み部は、上下方向に分割可能に接続された上半抱え込み部と、下半抱え込み部と、を備え、前記上半抱え込み部及び下半抱え込み部は、互いに嵌合可能な嵌合部を有し、前記上半抱え込み部と前記下半抱え込み部との嵌合の度合いによって前記配管部材を抱え込む部分の内径を変更可能に形成されている、請求項１に記載の配管固定具。
【発明の詳細な説明】
【技術分野】
【０００１】
本発明は、家屋の上壁と下壁との間の空間内で配管部材を固定するための配管固定具に関する。
【背景技術】
【０００２】
従来より、家屋の上壁と下壁との間の空間内で配管部材を固定することが行われている。その際、配管部材の一端側を、配管継手等を用いて家屋の上壁に接続固定しただけの場合がある。
【０００３】
この場合、配管部材は、一端側を家屋の上壁に接続固定されただけであるため、例えば、配管部材の他端部に桶を接続する場合、既設の配管部材に向かって上向きの力が作用するために、配管部材の一端側が家屋の上壁から外れたり、或いは、固定した配管部材の勾配が変わったりするといった問題があった。
【０００４】
そこで、例えば、Ｌ型プレート等の配管金具（吊り金具）を用いて、家屋の上壁と下壁との間の空間内で配管部材を固定することが考えられている。この場合、家屋の上壁に配管部材の一端側を接続固定した状態で、配管金具（吊り金具）を家屋の上壁に締結し、さらに、ねじ、ボルト等の締結部材で配管部材と配管金具（吊り金具）とを固定することで、家屋の上壁と下壁との間の空間内で配管部材を固定している。
【０００５】
また、吊りバンドを用いて、家屋の上壁と下壁との間の空間内で配管部材を固定することが提案されている（例えば、特開２０１０−２８１３３５号公報参照）。この場合、家屋の上壁から吊りバンドの一端側の吊り金具を吊り下げ、バンドを他端側から折り返して配管部材を巻き込み、長手方向の任意の位置に形成された連結用孔部と、バンドの一端側に形成されたボルト挿通孔とを合致させ、連結用孔部とボルト挿通孔とにボルトを挿通しナットを螺合することで、家屋の上壁と下壁との間の空間内で配管部材を固定している。
【先行技術文献】
【特許文献】
【０００６】
【特許文献１】特開２０１０−２８１３３５号公報
【発明の概要】
【発明が解決しようとする課題】
【０００７】
しかしながら、上述のように、Ｌ型プレート等の配管金具を用いて、家屋の上壁と下壁との間の空間内で配管部材を固定する場合、配管金具を固定するための下地材や、ねじ、ボルト等の締結部材が必要となる。また、家屋の上壁に下壁のパネルフレームを固定した状態で、家屋の上壁と下壁との間の空間内で配管部材を固定するため、下地材と配管部材との位置関係を明確に把握できず、下地材と配管部材との位置関係を正確に調整して取り付けるのが難しいといった問題がある。さらに、配管部材の位置や勾配を変えたい場合でも、Ｌ型プレート等の配管金具を用いて配管部材を一度固定してしまうと、家屋の上壁と下壁との間の空間内で配管部材の位置を調整することができないといった問題もあった。
【０００８】
また、吊りバンドを用いて、家屋の上壁と下壁との間の空間内で配管部材を固定する場合、バンドの任意の位置に設けられた連結用孔部とボルト挿通孔との位置を変更することで、家屋の上壁からの配管部材の位置をある程度変えることができる。しかしながら、家屋の上壁からの配管部材の位置を変える度に、一度ボルト、ナットを外してから、目的の高さに見合う連結用孔部とボルト挿通孔との位置を合致させ、再度ボルト、ナットを用いて連結する必要があり、作業が煩雑になるといった問題があった。
【０００９】
そこで、本発明は、斯かる実情に鑑み、下地材や、ねじ、ボルト等の締結部材を別途必要とせず、家屋の上壁と下壁との間の空間内で配管部材を所望の高さで容易に固定することができる配管固定具を提供することを目的とする。
【課題を解決するための手段】
【００１０】
本発明に係る配管固定具は、家屋の上壁と下壁との間の空間内で配管部材を固定するための配管固定具であって、配管部材を抱え込んだ状態で配管部材に保持される抱え込み部と、家屋の上壁に対向する抱え込み部の上面に高さ調整可能に取り付けられる上側突っ張り部と、家屋の下壁に対向する抱え込み部の下面に高さ調整可能に取り付けられる下側突っ張り部と、を備えることを特徴とする。
【００１１】
上記構成の配管固定具によれば、抱え込み部の上面に対する上側突っ張り部の高さを適宜調整することによって、配管部材を抱え込んだ状態で配管部材に保持される抱え込み部の上壁までの高さを調整することができるとともに、抱え込み部の下面に対する下側突っ張り部の高さを適宜調整することによって、配管部材を抱え込んだ状態で配管部材に保持される抱え込み部の下壁までの高さを調整することができ、上側突っ張り部及び下側突っ張り部によって、それぞれ、上壁及び下壁を突っ張ることができ、家屋の上壁と下壁との間の空間内で配管部材を所望の高さで容易に固定することができる。また、別部材としての下地材や、ねじ、ボルト等の締結部材を必要としない。
【００１２】
本発明の一態様として、抱え込み部は、上下方向に分割可能に接続された上半抱え込み部と、下半抱え込み部と、を備え、上側突っ張り部は、上半抱え込み部に連結され、下側突っ張り部は、下半抱え込み部に連結されているのが好ましい。
【００１３】
上記構成によれば、抱え込み部が上下方向に分割された状態で、上半抱え込み部と、下半抱え込み部との間に、配管部材を容易に挿入することができ、上半抱え込み部と、下半抱え込み部とを接続させることで、抱え込み部によって配管部材を抱え込んだ状態で配管部材に容易に保持されることができる。
【００１４】
本発明の他態様として、上半抱え込み部は、配管部材の一方側の側方方向に延びる一方側側方突出部を有し、下半抱え込み部は、配管部材の他方側の逆の側方方向に延びる他方側側方突出部を有し、一方側側方突出部は、上側突っ張り部に形成された雄ねじを上方から受け入れて係合される雌ねじを形成された受入れ穴を有し、他方側側方突出部は、下側突っ張り部に形成された雄ねじを下方から受け入れて係合される雌ねじを形成された受入れ穴を有するのが好ましい。
【００１５】
上記構成によれば、上側突っ張り部に形成された雄ねじが、配管部材の一方側の側方方向に延びるように形成された一方側側方突出部の受入れ穴の雌ねじと係合するとともに、下側突っ張り部に形成された雄ねじが、配管部材の他方側の側方方向に延びるように形成された他方側側方突出部の受入れ穴の雌ねじと係合するため、家屋の上壁から上側突っ張り部までの高さ、及び家屋の下壁から下側突っ張り部までの高さをかせぐことができ、例えば、家屋の上壁と下壁との間の空間内が狭い場合においても、上側突っ張り部及び下側突っ張り部の雄ねじを、それぞれ、一方側側方突出部及び他方側側方突出部の受入れ穴の雌ねじに係合させながら、家屋の上壁から上側突っ張り部までの高さ、及び家屋の下壁から下側突っ張り部までの高さを適宜調整することで、家屋の上壁と下壁との間の空間内で配管部材を所望の高さで容易に固定することができる。
【００１６】
本発明の別態様として、抱え込み部は、スナップ嵌合によって配管部材に嵌り込むように形成されてもよい。
【００１７】
上記構成によれば、スナップ嵌合といった簡単な構成によって、抱え込み部を、配管部材を抱え込んだ状態で配管部材に容易に保持させることができる。また、抱え込み部から配管部材を外す際にも、抱え込み部から配管部材を抜きやすくすることができる。さらに、抱え込み部がある程度の弾性を有するため、内径の異なる配管部材を抱え込んだ状態で配管部材に容易に保持させることができる。
【００１８】
本発明のさらに別態様として、抱え込み部は、上下方向に分割可能に接続された上半抱え込み部と、下半抱え込み部と、を備え、上半抱え込み部及び下半抱え込み部は、互いに嵌合可能な嵌合部を有し、上半抱え込み部と下半抱え込み部との嵌合の度合いによって配管部材を抱え込む部分の内径を変更可能に形成されてもよい。
【００１９】
上記構成によれば、上半抱え込み部と下半抱え込み部との嵌合の度合いによって、配管部材を抱え込む部分の内径を変更可能に形成されているため、上半抱え込み部と下半抱え込み部との嵌合の度合いを変更するといった簡単な操作によって、抱え込み部の内径を容易に変更することができ、配管部材の内径に拘らず、家屋の上壁と下壁との間の空間内で、配管部材を所望の高さで容易に固定することができる。
【発明の効果】
【００２０】
以上のように、本発明の配管固定具によれば、下地材や、ねじ、ボルト等の締結部材を別途必要とせず、家屋の上壁と下壁との間の空間内で配管部材を所望の高さで容易に固定することができるといった優れた効果を奏し得る。
【図面の簡単な説明】
【００２１】
【図１】本発明の一実施形態に係る配管固定具の概略構成を示す図である。
【図２】同実施形態に係る配管固定具を用いて、家屋の上壁と下壁との間の空間内で配管部材を固定した様子を示す図である。
【図３】本発明の他の実施形態に係る配管固定具の概略構成を示す図である。
【図４】本発明の別の実施形態に係る配管固定具の概略構成を示す図である。
【図５】本発明のさらに他の実施形態に係る配管固定具の概略構成を示す図である。
【図６】本発明のさらに別の実施形態に係る配管固定具の概略構成を示す図であって、抱え込み部が上下に分割された状態を示す。
【図７】同実施形態に係る配管固定具を用いて、家屋の上壁と下壁との間の空間内で、大きな内径を有する配管部材を固定した様子を示す図である。
【図８】同実施形態に係る配管固定具を用いて、家屋の上壁と下壁との間の空間内で、小さな内径を有する配管部材を固定した様子を示す図である。
【発明を実施するための形態】
【００２２】
以下、本発明の一実施形態に係る配管固定具について、添付図面を参照して説明する。
【００２３】
本実施形態に係る配管固定具は、家屋の上壁と下壁との間の空間内で配管部材を固定するためのものである。
【００２４】
図１，２に示すように、配管固定具１０は、配管部材Ｐ（図２参照）を抱え込んだ状態で配管部材Ｐに保持される抱え込み部１１と、家屋の上壁１００に対向する抱え込み部１１の上面１１ａに高さ調整可能に取り付けられる上側突っ張り部１２と、家屋の下壁２００に対向する抱え込み部１１の下面１１ｂに高さ調整可能に取り付けられる下側突っ張り部１３と、を備える。
【００２５】
抱え込み部１１は、本実施形態においては、上下方向に分割可能に接続された上半抱え込み部１４と、下半抱え込み部１５と、を備える。上側突っ張り部１２は、上半抱え込み部１４に連結され、下側突っ張り部１３は、下半抱え込み部１５に連結されている。なお、上側突っ張り部１２と上半抱え込み部１４との連結、及び下側突っ張り部１３と下半抱え込み部１５との連結については、後述する。
【００２６】
上半抱え込み部１４は、配管部材Ｐの一方側の形状に沿うように形成された内面形状を有する上半円弧状部１４ａと、該上半円弧状部１４ａの一端側から配管部材Ｐの一方側の側方方向に延びる一方側側方突出部１４ｂと、を有する。
【００２７】
上半円弧状部１４ａの他端側には、後述する他方側側方突出部１５ｂの孔部１５ｆに接続される接続部１４ｃが形成されている。本実施形態においては、上半円弧状部１４ａと他方側側方突出部１５ｂとは、接続部１４ｃと孔部１５ｆとの嵌合によって接続されている。
【００２８】
一方側側方突出部１４ｂは、後述する上側突っ張り部１２に形成された雄ねじ１２ａを上方から受け入れて係合される雌ねじ１４ｄを形成された受入れ穴１４ｅを有する。また、一方側側方突出部１４ｂは、後述する下半円弧状部１５ａの他端側に形成された接続部１５ｃと嵌合可能な孔部１４ｆを有する。
【００２９】
下半抱え込み部１５は、配管部材Ｐの他方側の形状に沿うように形成された内面形状を有する下半円弧状部１５ａと、該下半円弧状部１５ａの一端側から配管部材Ｐの他方側の側方方向に延びる他方側側方突出部１５ｂと、を有する。
【００３０】
下半円弧状部１５ａの他端側には、一方側側方突出部１４ｂの孔部１４ｆに接続される接続部１５ｃが形成されている。本実施形態においては、下半円弧状部１５ａと一方側側方突出部１４ｂとは、接続部１５ｃと孔部１４ｆとの嵌合によって接続されている。
【００３１】
他方側側方突出部１５ｂは、後述する下側突っ張り部１３に形成された雄ねじ１３ａを下方から受け入れて係合される雌ねじ１５ｄを形成された受入れ穴１５ｅを有する。また、他方側側方突出部１５ｂは、上半円弧状部１４ａの他端側に形成された接続部１４ｃと嵌合可能な孔部１５ｆを有する。
【００３２】
上側突っ張り部１２は、雄ねじ１２ａと、該雄ねじ１２ａの一端側に設けられた突っ張り部１２ｂと、を備える。上側突っ張り部１２は、雄ねじ１２ａの他端側を、一方側側方突出部１４ｂの受入れ穴１４ｄに形成された雌ねじ１４ｅと係合させることで、一方側側方突出部１４ｂに上下移動可能に連結されている。
【００３３】
突っ張り部１２ｂは、平面部１２ｃと、該平面部１２ｃから延びる延出部１２ｄと、を有するように形成されている。延出部１２ｄには、雄ねじ１２ａの他端側と回転可能に係合する雌ねじ１２ｅを有する挿入孔１２ｆが形成されている。
【００３４】
下側突っ張り部１３は、雄ねじ１３ａと、該雄ねじ１３ａの一端側に設けられた突っ張り部１３ｂと、を備える。下側突っ張り部１３は、雄ねじ１３ａの他端側を、他方側方突出部１５ｂの受入れ穴１５ｄに形成された雌ねじ１５ｅと係合させることで、他方側側方突出部１５ｂに上下移動可能に連結されている。
【００３５】
突っ張り部１３ｂは、平面部１３ｃと、該平面部１３ｃから延びる延出部１３ｄと、を有するように形成されている。延出部１３ｄには、雄ねじ１３ａの他端側と回転可能に係合する雌ねじ１３ｅを有する挿入孔１３ｆが形成されている。
【００３６】
なお、本実施形態に係る配管固定具１０では、抱え込み部１１は、略円筒形状の配管部材Ｐの形状に沿うような内面形状を有するように形成されているが、これに限定されるものではなく、抱え込み部１１は、配管部材Ｐの形状に対応して、種々の内面形状を有することができることは言うまでもない。
【００３７】
本実施形態に係る配管固定具１０の構成についての説明は以上の通りであり、次に、本実施形態に係る配管固定具１０を用いて、家屋の上壁１００と下壁２００との間の空間内で配管部材Ｐを取り付ける作業について説明する。
【００３８】
まず、上半抱え込み部１４と下半抱え込み部１５とを分割させた状態で、上半抱え込み部１４の上半円弧状部１４ａと、下半抱え込み部１５の下半円弧状部１５ａとの間に、配管部材を挿入する。
【００３９】
次に、上半円弧状部１４ａの他端側の接続部１４ｃを、他方側側方突出部１５ｂの孔部１５ｆに挿入することによって、接続部１４ｃと、孔部１５ｆとを嵌合させて接続するとともに、下半円弧状部１５ａの他端側の接続部１５ｃを、一方側側方突出部１４ｂの孔部１４ｆに挿入することによって、接続部１５ｃと、孔部１４ｆとを嵌合させて接続する。こうすることで、配管部材Ｐが、抱え込み部１１（上半抱え込み部１４及び下半抱え込み部１５）によって抱え込んだ状態で保持されるようになる。
【００４０】
そして、上側突っ張り部１２の雄ねじ１２ａと、一方側側方突出部１４ｂの受入れ穴１４ｄの雌ねじ１４ｃとを係合させながら、雄ねじ１２ａを回転させることで、雄ねじ１２ａの長さを適宜調整し、上側突っ張り部１２の突っ張り部１２ｂを、上壁１００に当接させる。
【００４１】
この状態で、下側突っ張り部１３の雄ねじ１３ａと、他方側側方突出部１５ｂの受入れ穴１５ｄの雌ねじ１５ｃとを係合させながら、雄ねじ１３ａを回転させることで、雄ねじ１３ａの長さを適宜調整し、下側突っ張り部１３の突っ張り部１３ｂを、下壁２００に当接させる。そうすることで、抱え込み部１１（上半抱え込み部１４及び下半抱え込み部１５）によって抱え込んだ状態で、上壁１００と下壁２００との間の空間内で、配管部材Ｐを、固定支持することができる。
【００４２】
以上のように、本実施形態に係る配管固定具１０は、抱え込み部１１の上面１１ａに対する上側突っ張り部１２の高さを適宜調整することによって、配管部材Ｐを抱え込んだ状態で配管部材Ｐに保持される抱え込み部１１の上面１１ａまでの高さを調整することができるとともに、抱え込み部１１の下面１１ｂに対する下側突っ張り部１３の高さを適宜調整することによって、配管部材Ｐを抱え込んだ状態で配管部材Ｐに保持される抱え込み部１１の下面１１ｂまでの高さを調整することができ、上側突っ張り部１２及び下側突っ張り部１３によって、それぞれ、上面１１ａ及び下面１１ｂを突っ張ることができ、家屋の上壁１００と下壁２００との間の空間内で配管部材Ｐを所望の高さで容易に固定することができる。また、別部材としての下地材や、ねじ、ボルト等の締結部材を必要としない。
【００４３】
また、抱え込み部１１が上下方向に分割された状態で、上半抱え込み部１４と、下半抱え込み部１５との間に、配管部材Ｐを容易に挿入することができ、上半抱え込み部１４と、下半抱え込み部１５とを接続させることで、抱え込み部１１によって配管部材Ｐを抱え込んだ状態で、配管部材Ｐに容易に保持されることができる。
【００４４】
また、家屋の上壁１００から上側突っ張り部１２までの高さ、及び家屋の下壁２００から下側突っ張り部１３までの高さをかせぐことができ、例えば、家屋の上壁１００と下壁２００との間の空間内が狭い場合においても、上側突っ張り部１２及び下側突っ張り部１３の雄ねじ１２ａ，１３ａを、それぞれ、一方側側方突出部１４ｂ及び他方側側方突出部１５ｂの受入れ穴１４ｅ，１５ｅの雌ねじ１４ｄ，１５ｄに係合させながら、家屋の上壁１００から上側突っ張り部１２までの高さ、及び家屋の下壁２００から下側突っ張り部１３までの高さを適宜調整することで、家屋の上壁１００と下壁２００との間の空間内で配管部材Ｐを所望の高さで容易に固定することができる。
【００４５】
尚、本発明の配管固定具は、上記実施形態に限定されるものではなく、本発明の要旨を逸脱しない範囲で適宜変更し得ることは勿論のことである。
【００４６】
上記実施形態において、抱え込み部１１は、上下方向に分割可能に接続された上半抱え込み部１４と、下半抱え込み部１５と、を備えるが、これに限定されるものではなく、例えば、抱え込み部１１は、一体的に形成されていてもよい。
【００４７】
上記実施形態において、突っ張り部１２ｂ，１３ｂは、平面部１２ｃ，１３ｃと、該平面部１２ｃ，１３ｃから延びる延出部１２ｄ，１３ｄと、を有するように形成されているが、これに限定されるものではなく、例えば、突っ張り部１２ｂ，１３ｂは、平面部１２ｃ，１３ｃのみで構成され、平面部１２ｃ，１３ｃの一端側で、雄ねじ１２ａ，１３ａと連結されるようにしてもよい。
【００４８】
上記実施形態において、上半抱え込み部１４は、配管部材Ｐの一方側の形状に沿うように形成された内面形状を有する上半円弧状部１４ａと、該上半円弧状部１４ａの一端側から配管部材Ｐの一方側の側方方向に延びる一方側側方突出部１４ｂと、を有するように形成されているが、これに限定されるものではない。
【００４９】
例えば、上半抱え込み部は、上半円弧状部と、該上半円弧状部の上面から配管部材Ｐの一方側の上方方向に延びる一方側上方突出部と、を有するように形成されてもよい。そうすることで、家屋の上壁１００と下壁２００との間の空間内が広い場合に、上側突っ張り部の長さをより長い範囲で調整することができ、家屋の上壁１００からの配管部材Ｐの高さをより長い範囲で調整して固定することができる。
【００５０】
また、上記実施形態において、下半抱え込み部１５は、配管部材Ｐの他方側の形状に沿うように形成された内面形状を有する下半円弧状部１５ａと、該下半円弧状部１５ａ一端側から配管部材Ｐの他方側の側方方向に延びる他方側側方突出部１５ｂと、を有するように形成されているが、これに限定されるものではない。
【００５１】
例えば、下半抱え込み部は、下半円弧状部と、該下半円弧状部の下面から配管部材Ｐの一方側の下方方向に延びる一方側下方突出部と、を有するように形成されてもよい。そうすることで、家屋の上壁１００と下壁２００との間の空間内が広い場合に、下側突っ張り部の長さをより長い範囲で調整することができ、家屋の下壁２００からの配管部材Ｐの高さをより長い範囲で調整して固定することができる。
【００５２】
上記実施形態においては、上半抱え込み部１４と下半抱え込み部１５とは、上半円弧状部１４ａの接続部１４ｃと、他方側側方突出部１５ｂの孔部１５ｆとの嵌合、及び下半円弧状部１５ａの１５ｃと、一方側側方突出部１４ｂの孔部１４ｆとの嵌合によって接続されるようにしたが、これに限定されるものではなく、上半抱え込み部１４と下半抱え込み部１５とを、分離可能に接続できるような構成であればよい。
【００５３】
また、例えば、図３に示すように、配管固定具３０において、抱え込み部３１は、スナップ嵌合によって配管部材Ｐに嵌り込むように形成されていてもよい。この場合、例えば、抱え込み部３０の上面３１ａには、雌ねじ３２ａが形成された上方側突出部３２が連結されるとともに、抱え込み部３１の下面３１ｂには、雌ねじ３３ａが形成された下方側突出部３３が連結されるようにする。
【００５４】
そして、配管固定具３０は、上方側突出部３２の雌ねじ３２ａと係合可能な雄ねじ３４ａと、該雄ねじ３４ａに連結された突っ張り部３４ｂと、を備える上側突っ張り部３４と、下方側突出部３３の雌ねじ３３ａと係合可能な雄ねじ３５ａと、該雄ねじ３５ａに連結された突っ張り部３５ｂと、を備える下側突っ張り部３５と、を備えるようにする。
【００５５】
このような構成によって、スナップ嵌合といった簡単な構成によって、抱え込み部３０を、配管部材Ｐを抱え込んだ状態で配管部材Ｐに容易に保持させることができる。また、抱え込み部３０から配管部材Ｐを外す際にも、抱え込み部３０から配管部材Ｐを抜きやすくすることができる。さらに、抱え込み部３０がある程度の弾性を有するため、内径の異なる配管部材Ｐを抱え込んだ状態で配管部材Ｐに容易に保持させることができる。
【００５６】
また、例えば、図４に示すように、配管固定具４０において、抱え込み部４１は、一端側に連結部４２を有し、該連結部４２を支点として互いに回動可能に接続される一対の回動部４３ａ，４３ｂを備え、該一対の回動部４３ａ，４３ｂのそれぞれの他端側には、互いに嵌合可能な嵌合部４３ｃ、４３ｄを有するようにしてもよい。なお、抱え込み部４１以外の構成は、図３の場合と同様にしてもよいし、異なるようにしてもよい。図４においては、抱え込み部４１以外の構成は、図３の場合と同様にしている。
【００５７】
或いは、例えば、図５に示すように、配管固定具５０は、上下方向に延びる形状を有し、該上下方向の一端部から他端部に亘って配管部材Ｐを嵌め込み可能な形状を有する嵌め込み部５１ａを有する略直方体状に形成された本体部５１と、該本体部５１の上下方向と交差する方向の一端側に形成された雌ねじ５１ｂと係合可能な雄ねじ５２ａ、及び該雄ねじ５２ａの一端側に連結された突っ張り部５２ｂと、を有する上側突っ張り部５２と、上下方向と交差する方向の他端側に形成された雌ねじ５１ｃと係合可能な雄ねじ５３ａ、及び該雄ねじ５３ａの一端側に連結された突っ張り部５３ｂと、を有する下側突っ張り部５３と、を備えるようにしてもよい。
【００５８】
また、例えば、図６〜８に示すように、抱え込み部６０は、上下方向に分割可能に接続された上半抱え込み部６１と、下半抱え込み部６２と、を備え、上半抱え込み部６１及び下半抱え込み部６２は、互いに嵌合可能な嵌合部６１ａ，６２ａを有し、上半抱え込み部６１と下半抱え込み部６２との嵌合の度合いによって配管部材Ｐを抱え込む部分の内径を変更可能に形成されていてもよい。なお、抱え込み部６０以外の構成は、図３の場合と同様にしてもよいし、異なるようにしてもよい。図４においては、抱え込み部６０以外の構成は、図３の場合と同様にしている。
【００５９】
このような構成によって、上半抱え込み部６１と下半抱え込み部６２との嵌合の度合いによって、配管部材Ｐを抱え込む部分の内径を変更可能に形成されているため、上半抱え込み部６１と下半抱え込み部６２との嵌合の度合いを変更するといった簡単な操作によって、抱え込み部６０の内径を容易に変更することができ、配管部材Ｐの内径に拘らず、家屋の上壁１００と下壁２００との間の空間内で、配管部材Ｐを所望の高さで容易に固定することができる。
【産業上の利用可能性】
【００６０】
本発明の配管固定具は、家屋の上壁と下壁との間の空間内で配管部材を固定する場合に有効に利用される。
【符号の説明】
【００６１】
１０  配管固定具、１１  抱え込み部、１１ａ  上面、１１ｂ  下面、１２  上側突っ張り部、１３  下側突っ張り部、１００  家屋の上壁、２００  家屋の下壁、Ｐ  配管部材。
【図１】
2014190420.tif 000003
【図２】
2014190420.tif 000004
【図３】
2014190420.tif 000005
【図４】
2014190420.tif 000006
【図５】
2014190420.tif 000007
【図６】
2014190420.tif 000008
【図７】
2014190420.tif 000009
【図８】
2014190420.tif 000010